(57)【要約】【課題】  浴槽の隆起部上に、容易に位置決めさせて隙間なく被せることができ、しかも滑り落ち難い風呂蓋を提供する。【解決手段】  フランジ２の上方へ立ち上がる隆起部３が形成されてなる浴槽１に使用する風呂蓋４であって、この風呂蓋４は、平面または曲面の板状の板部５の外周を覆うエッジプロテクター６を備え、このエッジプロテクター６で内周輪郭を隆起部３外周の一部または全部の輪郭に沿った形状として構成され、エッジプロテクター６の段部６ａで、隆起部３の外周の一部または全部と位置決めでき、エッジプロテクター６の内周側の板部５には、隆起部３と当接する位置のほぼ全体に亘ってクッション材７が設けられている。【選択図】  図５
2006212295.tif 000002
【特許請求の範囲】
【請求項１】
フランジ上方へ立ち上がる隆起部が形成されてなる浴槽に使用する風呂蓋であって、該風呂蓋は、平面または曲面の板状に形成されて外周を覆うエッジプロテクターを備え、該エッジプロテクターで内周輪郭を前記隆起部外周の一部または全部の輪郭に沿った形状として構成されているとともに、前記エッジプロテクターの内周側には、前記隆起部と当接する位置のほぼ全体に亘ってクッション材が設けられていることを特徴とする風呂蓋。
【請求項２】
フランジ上方へ立ち上がる隆起部が形成されてなる浴槽に使用する風呂蓋であって、該風呂蓋は、平面または曲面の板状に形成されて、前記隆起部と当接する位置のほぼ全体に亘ってクッション材が設けられているとともに、該クッション材には、前記隆起部の形状に合わせたガイド部が備えられていることを特徴とする風呂蓋。
【請求項３】
前記ガイド部は、前記隆起部上端付近で該隆起部に内接または外接する傾斜面を有し、断面形状が一定の長尺品で構成されていることを特徴とする請求項２に記載の風呂蓋。
【発明の詳細な説明】
【技術分野】
【０００１】
本発明は、フランジ上方へ立ち上がる隆起部が形成されてなる浴槽に使用する風呂蓋に関するものである。
【背景技術】
【０００２】
従来、特許文献１に開示されているように、浴槽蓋本体を構成する基板の裏面側に、弾力性に富んだ発泡樹脂からなる保温層を取り付けた風呂蓋が存在する。
また、特許文献２に開示されているように、浴槽の上縁面と接触するパッキンが蓋体の下面に取り付けられた風呂蓋が存在する。
【特許文献１】実公昭５６−０５４８５１号公報
【特許文献２】特開平８−１４０８７５号公報
【発明の開示】
【発明が解決しようとする課題】
【０００３】
上記特許文献１または特許文献２に開示されているような風呂蓋を、フランジ上方へ立ち上がる隆起部が形成されてなる浴槽に使用する場合には、隆起部に被せる場合に位置決めが難しく、隆起部に被さった状態で風呂蓋が滑りやすく落下する可能性もあり、また風呂蓋の外形を隆起部に合わせた専用形状にする必要があった。
また、複雑な形状の隆起部には対応できないため、浴槽側の隆起部が直線状等の単純な形状となってしまい、浴槽の意匠性，自由度の制約が大きくなるという問題点があった。
【課題を解決するための手段】
【０００４】
本発明は上記従来の問題点に鑑み案出したものであって、フランジ上方へ立ち上がる隆起部を有する浴槽に、良好に位置決めして滑ることなく被せることができる風呂蓋を提供することを目的とし、その請求項１は、フランジ上方へ立ち上がる隆起部が形成されてなる浴槽に使用する風呂蓋であって、該風呂蓋は、平面または曲面の板状に形成されて外周を覆うエッジプロテクターを備え、該エッジプロテクターで内周輪郭を前記隆起部外周の一部または全部の輪郭に沿った形状として構成されているとともに、前記エッジプロテクターの内周側には、前記隆起部と当接する位置のほぼ全体に亘ってクッション材が設けられていることである。
【０００５】
また請求項２は、フランジ上方へ立ち上がる隆起部が形成されてなる浴槽に使用する風呂蓋であって、該風呂蓋は、平面または曲面の板状に形成されて、前記隆起部と当接する位置のほぼ全体に亘ってクッション材が設けられているとともに、該クッション材には、前記隆起部の形状に合わせたガイド部が備えられていることである。
【０００６】
また請求項３は、前記ガイド部は、前記隆起部上端付近で該隆起部に内接または外接する傾斜面を有し、断面形状が一定の長尺品で構成されていることである。
【発明の効果】
【０００７】
本発明の風呂蓋は、平面または曲面の板状に形成されて外周を覆うエッジプロテクターを備え、エッジプロテクターで内周輪郭を隆起部外周の一部または全部の輪郭に沿った形状として構成され、エッジプロテクターの内周側には、浴槽の隆起部と当接する位置のほぼ全体に亘ってクッション材が設けられていることにより、風呂蓋を浴槽の隆起部上に被せる際の位置決めが容易であり、しっかりとクッション材を隆起部に載せることができ、浴槽に傷が付いたり、風呂蓋が滑ったりすることがないものとなる。
また、複雑な形状の隆起部が存在しても、良好に風呂蓋を置くことができるため、浴槽形状の自由度が高まり、意匠性の高い浴槽とすることができる。
【０００８】
また、フランジ上方へ立ち上がる隆起部が形成されてなる浴槽に使用する風呂蓋であって、風呂蓋は、平面または曲面の板状に形成されて、隆起部と当接する位置のほぼ全体に亘ってクッション材が設けられているとともに、クッション材には、隆起部の形状に合わせたガイド部が備えられていることにより、ガイド部によって、浴槽の隆起部と風呂蓋の位置関係を決めることができ、風呂蓋を被せる際に簡単に位置決めでき、また、ガイド部により浴槽と風呂蓋の隙間をなくすことができ、しかも、風呂蓋が滑り落ち難くなる。
また、浴槽の隆起部の形状が複雑なものであっても、更に、隆起部の微小な形状の違いがあっても、風呂蓋の板形状は同じにしてクッション材のみの形状で対応が可能となる。
【０００９】
また、ガイド部は、隆起部上端付近で隆起部に内接または外接する傾斜面を有し、断面形状が一定の長尺品で構成されていることにより、浴槽の隆起部が曲面で風呂蓋が平面の場合には隙間ができるが、この隙間をガイド部の傾斜面で塞ぐことができ、曲面の隆起部に対しても平面の風呂蓋で対応でき、また、断面形状が一定の長尺品であるため、コストを低減できるものとなる。
【実施例】
【００１０】
以下、本発明の実施例を図面に基づいて説明する。
図１は浴槽の斜視構成図であり、図２は浴槽の平面構成図であり、また、図３は浴槽の側面構成図である。
浴槽１の頭側には、上端のフランジ２の面から、上方へ立ち上がる隆起部３が形成されており、この隆起部３に頭をもたれさせて入浴できるように構成されている。
このような浴槽１の隆起部３上に、風呂蓋４を被せた状態の側面拡大図を図４に示す。
なお、隆起部３以外のフランジ２の上面には、通常の風呂蓋４Ａが被せられるものである。
【００１１】
図５の断面図で示すように、風呂蓋４は、平面板状に形成された板部５の外周にエッジプロテクター６が設けられ、エッジプロテクター６で外周が覆われて保護されている。
なお、図６には風呂蓋４の裏面図を示すが、エッジプロテクター６は板部５の全周に亘って外周を覆うように設けられている。
このエッジプロテクター６の内周側には、クッション材７が板部５の裏側に貼設されており、クッション材７とエッジプロテクター６の内周面との間には段部６ａが形成されて、風呂蓋４を被せる際に、この段部６ａを浴槽の隆起部３の上端外周に当接させて良好に位置決めできるものであり、エッジプロテクター６の段部６ａが隆起部３の一部または全部に当接して容易に位置決めされるものである。即ち、エッジプロテクター６の内周輪郭は、隆起部３外周の一部または全部の輪郭に沿った形状とされている。
【００１２】
また、風呂蓋４を被せた状態では、エッジプロテクター６の内周側のクッション材７が隆起部３の上端に当接して、隆起部３の傷付きを防ぐとともに、隆起部３の全体にクッション材７が当接し、クッション材７を介して隙間なく風呂蓋４が隆起部３に被せられて、良好に浴槽の湯を保温できるものとなる。
なお、風呂蓋４の板部５は、アルミニウムとポリエチレンの複合板で構成しておくことができ、また、エッジプロテクター６は、エラストマー樹脂等の軟質樹脂で構成しておくことができる。また、クッション材はエラストマー樹脂等で構成したものを用いることができる。
【００１３】
なお、図７および図８の裏面図で示すように、クッション材７の板部５への貼り付け状態を変更することができ、図７では、図中下部に、エッジプロテクター６とクッション材７との間に隙間Ｓを形成させて、クッション材７を貼着したものであり、また図８では、上方側にエッジプロテクター６との間に隙間Ｓを形成させてクッション材７を貼設したものである。
即ち、浴槽の隆起部３は、左右対称形状に形成されたものではないため、浴槽１を浴室内の左壁面側に設置する場合と、右壁面側に設置する場合とでは、隆起部３の全体にクッション材７が当たるようにするために、クッション材７の板部５に対する貼設位置を変更する必要があるのである。
このように、クッション材７の貼設状態を変更させることで、板部５は共通したもので対応することができ、コストを低減させることができるものとなる。
【００１４】
なお、図９に示すように、隆起部３に湾曲した曲面部３ａが形成されているような場合には、その上面に風呂蓋４を被せると隙間が生ずることとなるが、このような場合には、クッション材７を、図１１（図１０に示した風呂蓋４のＡ−Ａ断面図）および図１２（図１０に示した風呂蓋４のＢ−Ｂ断面図）に示すような形状にしておくことで、隙間を塞ぐことができるものである。
【００１５】
即ち、図１１および図１２に示すように、クッション材７に、下方側へ断面楔状等に突出させて内側ガイド部８を一体形成させ、この内側ガイド部８の外周側には傾斜面８ａを形成させておき、この傾斜面８ａが隆起部３の上端側の内周に当接できるように構成しておくことができ、隆起部３が複雑な形状であっても、内側ガイド部８の傾斜面８ａの少なくとも一部が隆起部３と当接することができて、隙間をなくして風呂蓋４を隆起部３上に被せることができるものとなる。
【００１６】
また、この内側ガイド部８を隆起部３に当接させて位置決めすることができ、風呂蓋を被せる際に簡単に位置決めが可能で、また内側ガイド部８により風呂蓋４が滑り落ち難いものとなる。
また、隆起部３に微小な形状の違いがあっても、このクッション材７のガイド部８で対応させて良好に隙間をなくすことができ、内側ガイド部８の形状を更に下側へ長く突出した形状等に変更することで、複雑な形状の隆起部３に対しても、隙間なく風呂蓋４を覆設することができるものとなる。そのため、隆起部３の形状の自由度が高まり、複雑な意匠性の高い隆起部３を浴槽１に形成させることが可能となる。
【００１７】
なお、クッション材７に、図１３に示すように、一体状に外側ガイド部９を形成させておくこともでき、図１３の外側ガイド部９においては、外側ガイド部９の内周側が傾斜面９ａとなっており、この傾斜面９ａが隆起部３の上端側外周に当接して、良好に位置決めできるとともに、風呂蓋４の滑り落ちを確実に防止できるものとなる。
【００１８】
更には、図１４に示すように、クッション材７に内側ガイド部８と外側ガイド部９を同時に一体形成させておくこともでき、この場合は、隆起部３の上端内周側に内側ガイド部８が当接し、隆起部３の上端外周側に外側ガイド部９が当接して、より確実に隙間を塞いで、隆起部３に風呂蓋４を被せることができ、位置決めがより簡単で、しかも風呂蓋４の滑り落ちを確実に防げるものとなる。
なお、このようなガイド部８，９を一体化させたクッション材７は、押出成型等で断面形状が一定の長尺品に成形して安価に製造することができ、製造したクッション材７を風呂蓋の板部５のエッジプロテクター６の内周側に貼着して、コストを低減させて風呂蓋４を製作できるものとなる。
【図面の簡単な説明】
【００１９】
【図１】浴槽の斜視構成図である。
【図２】浴槽の平面構成図である。
【図３】浴槽の側面構成図である。
【図４】浴槽の隆起部に風呂蓋を被せた状態の側面構成図である。
【図５】図４の状態の断面構成図である。
【図６】風呂蓋の裏面図である。
【図７】風呂蓋のクッション材の貼設状態の変更例である。
【図８】更に異なるクッション材の貼設状態の変更例である。
【図９】曲面を有する隆起部上に風呂蓋を被せた状態の側面構成図である。
【図１０】風呂蓋の表面図である。
【図１１】図１０のＡ−Ａ線断面図である。
【図１２】図１０のＢ−Ｂ線断面図である。
【図１３】クッション材に外側ガイド部を一体化させた変更例の断面構成図である。
【図１４】更にクッション材に内側ガイド部と外側ガイド部の両者を一体化させた場合の断面構成図である。
【符号の説明】
【００２０】
１  浴槽
２  フランジ
３  隆起部
３ａ  曲面部
４  風呂蓋
５  板部
６  エッジプロテクター
６ａ  段部
７  クッション材
８  内側ガイド部
８ａ  傾斜面
９  外側ガイド部
９ａ  傾斜面
Ｓ  隙間
【図１】
2006212295.tif 000003
【図２】
2006212295.tif 000004
【図３】
2006212295.tif 000005
【図４】
2006212295.tif 000006
【図５】
2006212295.tif 000007
【図６】
2006212295.tif 000008
【図７】
2006212295.tif 000009
【図８】
2006212295.tif 000010
【図９】
2006212295.tif 000011
【図１０】
2006212295.tif 000012
【図１１】
2006212295.tif 000013
【図１２】
2006212295.tif 000014
【図１３】
2006212295.tif 000015
【図１４】
2006212295.tif 000016